(57)【要約】      （修正有）【課題】ターゲットウェイクアップ時間（ＴＷＴ）を利用するデバイスのグループの動作に対する変更のための方法および装置の提供。【解決手段】システムは、電力消費を低減するために、ある特定の局（ＳＴＡ）がある特定の無線機能の電源を切ることを可能にするようにＴＷＴを利用可能である。ＳＴＡは、チャネルにアクセスするために無線機能の電源を入れる期間を指すＴＷＴ要求をＡＰに送ることができ、ＡＰは、ＴＷＴ応答フレームのＴＷＴフィールドを介して、ＳＴＡがチャネルにアクセス可能とされる時間を示す。ＳＴＡは、ＴＷＴによって示される時間まである特定の無線機能を無効にすることができ、そのＴＷＴにおいてウェイクアップすることができる。ＴＷＴを利用するＳＴＡは、共通のグループＩＤでグループ化され、ＴＷＴグループにおける各ＳＴＡは、そのゼロオフセット（Zero Offset）からのオフセットを示すＴＷＴ値を割り当てられる。【選択図】図７
2018170772.tif 000002
【特許請求の範囲】
【請求項１】
ワイヤレス通信のための装置であって、
グループ内の１つまたは複数のワイヤレスデバイスに関して、基準時間に対するオフセット値を決定するように構成された処理システムと、前記オフセット値は、ターゲットウェイクアップ時間を調整するために使用される、
前記グループ内の前記１つまたは複数のワイヤレスデバイスに前記オフセット値をシグナリングするように構成された送信機と、
を備える、装置。
【請求項２】
前記送信機は、ブロードキャストシグナリングを介して、前記グループ内の前記ワイヤレスデバイスの少なくともいくつかに前記オフセット値をシグナリングするように構成される、請求項１に記載の装置。
【請求項３】
前記送信機は、ユニキャストシグナリングを介して、前記グループ内の少なくとも１つのワイヤレスデバイスに前記オフセット値をシグナリングするように構成される、請求項１に記載の装置。
【請求項４】
前記送信機は、ビーコン、管理フレーム、または明示的なターゲットウェイクアップ時間（ＴＷＴ）応答フレーム内、のうちの少なくとも１つを介して、前記グループ内の前記１つまたは複数のワイヤレスデバイスに前記オフセット値をシグナリングするように構成される、請求項１に記載の装置。
【請求項５】
前記送信機は、前記グループの識別を含む情報要素において前記オフセット値をシグナリングするように構成される、請求項１に記載の装置。
【請求項６】
ターゲットウェイクアップ時間のための要求を受信するように構成された受信機をさらに備え、前記情報要素は前記要求に応答して送信される、請求項５に記載の装置。
【請求項７】
前記情報要素は、前記応答において前記グループの前記識別の存在を示す１つまたは複数のビットを備える、請求項６に記載の装置。
【請求項８】
前記処理システムは、前記要求における１つまたは複数のビットに基づいて、要求側が、グループにおける動作をサポートする能力を有することを決定するように構成される、請求項６に記載の装置。
【請求項９】
ワイヤレス通信のための装置であって、
グループ内の１つまたは複数のワイヤレスデバイスに関してターゲットウェイクアップ時間を調整するために、基準時間に対するオフセット値を受信するように構成された受信機と、
無線機能を有効にするよう、前記装置に関してターゲットウェイクアップ時間を調整するために前記オフセット値を適用するように構成された処理システムと、
を備える、装置。
【請求項１０】
前記オフセット値は、ブロードキャストシグナリングを介して受信される、請求項９に記載の装置。
【請求項１１】
前記オフセット値は、ユニキャストシグナリングを介して受信される、請求項９に記載の装置。
【請求項１２】
前記オフセット値は、ビーコン、管理フレーム、または明示的なターゲットウェイクアップ時間（ＴＷＴ）応答フレーム内、のうちの少なくとも１つを介して、受信される、請求項９に記載の装置。
【請求項１３】
前記受信機は、前記グループの識別を含む情報要素において前記オフセット値を受信するように構成される、請求項９に記載の装置。
【請求項１４】
要求を送信するように構成された送信機をさらに備え、前記情報要素は前記要求に応答して受信される、請求項１３に記載の装置。
【請求項１５】
前記処理システムは、前記応答における１つまたは複数のビットに基づいて、前記応答における前記グループの前記識別の存在を検出するようにさらに構成される、請求項１４に記載の装置。
【請求項１６】
前記要求は、前記装置がグループにおける動作をサポートする能力を有することを示す１つまたは複数のビットを備える、請求項１４に記載の装置。
【請求項１７】
ワイヤレス通信のための装置であって、
グループ内の１つまたは複数のワイヤレスデバイスに関して、基準時間に対するオフセット値を決定するための手段と、前記オフセット値は、ターゲットウェイクアップ時間を調整するために使用される、
前記グループ内の前記１つまたは複数のワイヤレスデバイスに前記オフセット値をシグナリングするための手段と、
を備える、装置。
【請求項１８】
前記オフセット値は、前記グループ内のワイヤレスデバイスにブロードキャストされる、請求項１７に記載の装置。
【請求項１９】
前記オフセット値は、ユニキャストシグナリングを介して、前記グループ内の少なくとも１つのワイヤレスデバイスに送信される、請求項１７に記載の装置。
【請求項２０】
前記オフセット値は、ビーコンまたはアクションフレームのうちの少なくとも１つを介して送信される、請求項１７に記載の装置。
【請求項２１】
前記シグナリングするための手段は、前記グループの識別を含む情報要素において前記オフセット値をシグナリングするように構成される、請求項１７に記載の装置。
【請求項２２】
ターゲットウェイクアップ時間のための要求を受信するための手段をさらに備え、前記情報要素は前記要求に応答して送信される、請求項２１に記載の装置。
【請求項２３】
前記情報要素は、前記応答において前記グループの前記識別の存在を示す１つまたは複数のビットを備える、請求項２２に記載の装置。
【請求項２４】
前記決定するための手段は、要求側が、前記要求における１つまたは複数のビットに基づいて、グループにおける動作をサポートする能力を有することを決定するように構成される、請求項２２に記載の装置。
【請求項２５】
ワイヤレス通信のための装置であって、
グループ内の１つまたは複数のワイヤレスデバイスに関してターゲットウェイクアップ時間を調整するために、基準時間に対するオフセット値を受信するための手段と、
無線機能を有効にするよう、前記装置に関してターゲットウェイクアップ時間を調整するために前記オフセット値を適用するための手段と、
を備える、装置。
【請求項２６】
前記オフセット値は、ブロードキャストシグナリングを介して受信される、請求項２５に記載の装置。
【請求項２７】
前記オフセット値は、ユニキャストシグナリングを介して受信される、請求項２５に記載の装置。
【請求項２８】
前記オフセット値は、ビーコン、管理フレーム、または明示的なターゲットウェイクアップ時間（ＴＷＴ）応答フレーム内、のうちの少なくとも１つを介して、受信される、請求項２５に記載の装置。
【請求項２９】
前記受信するための手段は、前記グループの識別を含む情報要素において前記オフセット値を受信するように構成される、請求項２５に記載の装置。
【請求項３０】
要求を送信するための手段をさらに備え、前記情報要素は前記要求に応答して受信される、請求項２９に記載の装置。
【請求項３１】
前記応答における１つまたは複数のビットに基づいて、前記応答における前記グループの前記識別の存在を検出するための手段をさらに備える、請求項３０に記載の装置。
【請求項３２】
前記要求は、前記装置がグループにおける動作をサポートする能力を有することを示す１つまたは複数のビットを備える、請求項３０に記載の装置。
【請求項３３】
装置によるワイヤレス通信のための方法であって、
グループ内の１つまたは複数のワイヤレスデバイスに関して、基準時間に対するオフセット値を決定することと、前記オフセット値は、ターゲットウェイクアップ時間を調整するために使用される、
前記グループ内の前記１つまたは複数のワイヤレスデバイスに前記オフセット値をシグナリングすることと、
を備える、方法。
【請求項３４】
前記オフセット値は、前記グループ内のワイヤレスデバイスにブロードキャストされる、請求項３３に記載の方法。
【請求項３５】
前記オフセット値は、ユニキャストシグナリングを介して、前記グループ内の少なくとも１つのワイヤレスデバイスに送信される、請求項３３に記載の方法。
【請求項３６】
前記オフセット値は、ビーコン、管理フレーム、または明示的なターゲットウェイクアップ時間（ＴＷＴ）応答フレーム内、のうちの少なくとも１つを介して送信される、請求項３３に記載の方法。
【請求項３７】
前記シグナリングすることは、前記グループの識別を含む情報要素において前記オフセット値をシグナリングすることを備える、請求項３３に記載の方法。
【請求項３８】
ターゲットウェイクアップ時間のための要求を受信することをさらに備え、前記情報要素は前記要求に応答して送信される、請求項３７に記載の方法。
【請求項３９】
前記情報要素は、前記応答において前記グループの前記識別の存在を示す１つまたは複数のビットを備える、請求項３８に記載の方法。
【請求項４０】
前記要求における１つまたは複数のビットに基づいて、要求側が、グループにおける動作をサポートする能力を有することを決定することをさらに備える、請求項３８に記載の方法。
【請求項４１】
装置によるワイヤレス通信のための方法であって、
グループ内の１つまたは複数のワイヤレスデバイスに関してターゲットウェイクアップ時間を調整するために、基準時間に対するオフセット値を受信することと、
無線機能を有効にするよう、前記装置に関してターゲットウェイクアップ時間を調整するために前記オフセット値を適用することと、
を備える、方法。
【請求項４２】
前記オフセット値は、ブロードキャストシグナリングを介して受信される、請求項４１に記載の方法。
【請求項４３】
前記オフセット値は、ユニキャストシグナリングを介して受信される、請求項４１に記載の方法。
【請求項４４】
前記オフセット値は、ビーコン、管理フレーム、または明示的なターゲットウェイクアップ時間（ＴＷＴ）応答フレーム内、のうちの少なくとも１つを介して、受信される、請求項４１に記載の方法。
【請求項４５】
受信することは、前記グループの識別を含む情報要素において前記オフセット値を受信することを備える、請求項４１に記載の方法。
【請求項４６】
要求を送信することをさらに備え、前記情報要素は前記要求に応答して受信される、請求項４５に記載の方法。
【請求項４７】
前記応答における１つまたは複数のビットに基づいて、前記応答における前記グループの前記識別の存在を検出することをさらに備える、請求項４６に記載の方法。
【請求項４８】
前記要求は、前記装置がグループにおける動作をサポートする能力を有することを示す１つまたは複数のビットを備える、請求項４６に記載の方法。
【請求項４９】
命令を記憶したコンピュータ可読媒体を備える、装置によるワイヤレス通信のためのプログラム製品であって、前記命令は、
グループ内の１つまたは複数のワイヤレスデバイスに関して、基準時間に対するオフセット値を決定することと、前記オフセット値は、ターゲットウェイクアップ時間を調整するために使用される、
前記グループ内の前記１つまたは複数のワイヤレスデバイスに前記オフセット値をシグナリングすることと、
のためのものである、プログラム製品。
【請求項５０】
命令を記憶したコンピュータ可読媒体を備える、装置によるワイヤレス通信のためのプログラム製品であって、前記命令は、
グループ内の１つまたは複数のワイヤレスデバイスに関してターゲットウェイクアップ時間を調整するために、基準時間に対するオフセット値を受信することと、
無線機能を有効にするよう、前記装置に関してターゲットウェイクアップ時間を調整するために前記オフセット値を適用することと、
のためのものである、プログラム製品。
【請求項５１】
アクセスポイントであって、
少なくとも１つのアンテナと、
グループ内の１つまたは複数のワイヤレスデバイスに関して、基準時間に対するオフセット値を決定するように構成された処理システムと、前記オフセット値は、ターゲットウェイクアップ時間を調整するために使用される、
前記グループ内の前記１つまたは複数のワイヤレスデバイスに前記オフセット値を、前記少なくとも１つのアンテナを介して、シグナリングするように構成された送信機と、
を備える、アクセスポイント。
【請求項５２】
局であって、
少なくとも１つのアンテナと、
グループ内の１つまたは複数のワイヤレスデバイスに関してターゲットウェイクアップ時間を調整するために、基準時間に対するオフセット値を、前記少なくとも１つのアンテナを介して、受信するように構成された受信機と、
無線機能を有効にするよう、装置に関してターゲットウェイクアップ時間を調整するために前記オフセット値を適用するように構成された処理システムと、
を備える、局。
【発明の詳細な説明】
【背景技術】
【０００１】
[0001]  本出願は、２０１３年５月９日に出願された米国仮出願第６１／８２１，５１５号、２０１３年５月１４日に出願された米国仮出願第６１／８２３，１０６号、および２０１４年５月６日に出願された米国特許出願第１４／２７１，１６９号に対して優先権を主張し、それらのすべては、全体として本明細書に参照により明示的に組み込まれている。
【技術分野】
【０００２】
[0002]  本開示のある特定の態様は、一般に、ワイヤレス通信に関し、より具体的には、中継器（relay）を利用するワイヤレスシステムにおいて階層的ウェイクアップスケジュールを有効にすることに関する。
【関連の背景技術】
【０００３】
[0003]  ワイヤレス通信ネットワークは、音声、ビデオ、パケットデータ、メッセージング、ブロードキャスト等のような、様々な通信サービスを提供するために広く展開されている。これらのワイヤレスネットワークは、利用可能なネットワークリソースを共有することによって、複数のユーザをサポートする能力を有する多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]  より大きなカバレッジおよび増大した通信範囲を求める要望に対応するために、様々な方式が展開されている。１つのそのような方式は、米国電気電子学会（ＩＥＥＥ）８０２．１１ａｈタスクフォースによって展開されているサブ１ＧＨｚ周波数範囲（例えば、米国において９０２−９２８ＭＨｚ範囲で動作している）である。この展開は、他のＩＥＥＥ８０２．１１グループよりも大きなワイヤレス範囲を有し、かつより低い妨害損失を有する周波数範囲を利用するという要望によって駆り立てられている。
【発明の概要】
【０００５】
[0005]  本開示のある特定の態様は、ワイヤレス通信のための装置を提供している。装置は概して、グループ内の１つまたは複数のワイヤレスデバイスに関して、基準時間（reference time）に対するオフセット値（offset value）を決定するように構成された処理システムと、該オフセット値は、ターゲットウェイクアップ時間（target wakeup time）を調整するように使用され、該グループ内の該１つまたは複数のワイヤレスデバイスに該オフセット値をシグナリングするように構成された送信機と、を含む。
【０００６】
[0006]  本開示のある特定の態様は、ワイヤレス通信のための装置を提供している。装置は概して、グループ内の１つまたは複数のワイヤレスデバイスに関して、ターゲットウェイクアップ時間を調整するために基準時間に対するオフセット値を受信するように構成された受信機と、無線機能を有効にするよう、該装置に関してターゲットウェイクアップ時間を調整するために該オフセット値を適用するように構成された処理システムと、を含む。
【０００７】
[0007]  本開示のある特定の態様は、装置によるワイヤレス通信のための方法を提供している。方法は概して、グループ内の１つまたは複数のワイヤレスデバイスに関して、基準時間に対するオフセット値を決定することと、該オフセット値は、ターゲットウェイクアップ時間を調整するように使用され、該グループ内の該１つまたは複数のワイヤレスデバイスに該オフセット値をシグナリングすることと、を含む。
【０００８】
[0008]  本開示のある特定の態様は、装置によるワイヤレス通信のための方法を提供している。方法は概して、グループ内の１つまたは複数のワイヤレスデバイスに関して、ターゲットウェイクアップ時間を調整するために基準時間に対するオフセット値を受信することと、無線機能を有効にするよう、該装置に関してターゲットウェイクアップ時間を調整するために該オフセット値を適用することと、を含む。
【０００９】
[0009]  本開示のある特定の態様は、装置によるワイヤレス通信のための装置を提供している。装置は概して、グループ内の１つまたは複数のワイヤレスデバイスに関して、基準時間に対するオフセット値を決定するための手段と、該オフセット値は、ターゲットウェイクアップ時間を調整するように使用され、該グループ内の該１つまたは複数のワイヤレスデバイスに該オフセット値をシグナリングするための手段と、を含む。
【００１０】
[0010]  本開示のある特定の態様は、装置によるワイヤレス通信のための装置を提供している。装置は概して、グループ内の１つまたは複数のワイヤレスデバイスに関して、ターゲットウェイクアップ時間を調整するために基準時間に対するオフセット値を受信するための手段と、無線機能を有効にするよう、該装置に関してターゲットウェイクアップ時間を調整するために該オフセット値を適用するための手段と、を含む。
【００１１】
[0011]  本開示のある特定の態様は、命令を記憶したコンピュータ可読媒体を備える、装置によるワイヤレス通信のためのプログラム製品を提供している。命令は概して、グループ内の１つまたは複数のワイヤレスデバイスに関して、基準時間に対するオフセット値を決定することと、該オフセット値は、ターゲットウェイクアップ時間を調整するように使用され、該グループ内の該１つまたは複数のワイヤレスデバイスに該オフセット値をシグナリングすることと、のためのものである。
【００１２】
[0012]  本開示のある特定の態様は、命令を記憶したコンピュータ可読媒体を備える、装置によるワイヤレス通信のためのプログラム製品を提供している。命令は概して、グループ内の１つまたは複数のワイヤレスデバイスに関して、ターゲットウェイクアップ時間を調整するために基準時間に対するオフセット値を受信することと、無線機能を有効にするよう、該装置に関してターゲットウェイクアップ時間を調整するために該オフセット値を適用することと、のためのものである。
【００１３】
[0013]  本開示のある特定の態様は、アクセスポイントを提供している。アクセスポイントは概して、少なくとも１つのアンテナと、グループ内の１つまたは複数のワイヤレスデバイスに関して、基準時間に対するオフセット値を決定するように構成された処理システムと、該オフセット値は、ターゲットウェイクアップ時間を調整するように使用され、該グループ内の該１つまたは複数のワイヤレスデバイスに該オフセット値を、該少なくとも１つのアンテナを介してシグナリングするように構成された送信機と、を含む。
【００１４】
[0014]  本開示のある特定の態様は、局を提供している。局は概して、少なくとも１つのアンテナと、グループ内の１つまたは複数のワイヤレスデバイスに関して、ターゲットウェイクアップ時間を調整するために基準時間に対するオフセット値を、該少なくとも１つのアンテナを介して受信するように構成された受信機と、無線機能を有効にするよう、該装置に関してターゲットウェイクアップ時間を調整するために該オフセット値を適用するように構成された処理システムと、を含む。
【００１５】
[0015]  本開示の上で記載された特徴が詳細に理解されることができる方法のように、上で簡潔に要約されたより具体的な説明が、態様への参照によってなされており、そのいくつかが添付の図面において例示されている。しかしながら、添付の図面は、本開示のある特定の典型的な態様のみを例示しており、それゆえ、その説明が他の同等に効果的な態様を認めることができるように、その範囲を限定するものとして考えられるものではないことは留意されるものである。
【図面の簡単な説明】
【００１６】
【図１】[0016]  本開示のある特定の態様にしたがった、実例的なワイヤレス通信ネットワークの図を例示している。
【図２】[0017]  本開示のある特定の態様にしたがった、実例的なアクセスポイントおよびユーザ端末のブロック図を例示している。
【図３】[0018]  本開示のある特定の態様にしたがった、実例的なワイヤレスデバイスのブロック図を例示している。
【図４】[0019]  本開示のある特定の態様にしたがった、例えばアクセスポイントによる、ワイヤレス通信のための実例的な動作のブロック図を例示している。
【図４Ａ】[0020]  図４で図示された動作を実行する能力を有する実例的な手段を例示している。
【図５】[0021]  本開示のある特定の態様にしたがった、例えば局による、ワイヤレス通信のための実例的な動作のブロック図を例示している。
【図５Ａ】[0022]  図５で図示された動作を実行する能力を有する実例的な手段を例示している。
【図６】[0023]  本開示の態様にしたがった、要求側（requestor）と応答側（responder）との間の実例的なやり取りを例示している。
【図７】[0024]  本開示の態様にしたがった、実例的な情報要素（ＩＥ：information element）を例示している。
【発明を実施するための形態】
【００１７】
[0025]  本開示の様々な態様が、添付の図面を参照して以下でより十分に説明されている。しかしながら、本開示は、多くの異なる形態で具現化され、本開示全体を通して提示されている任意の指定の構造または機能に限定されるものとして解釈されるべきではない。むしろ、これらの態様は、本開示が徹底的で完全であり、当業者に本開示の範囲を十分に伝えることになるように提供される。本明細書における教示に基づいて、本開示の任意の他の態様から独立して実装されようと、本開示の任意の他の態様と組み合わせて実装されようと、本開示の範囲が、本明細書で開示されているあらゆる態様をカバーするように意図されていることを、当業者は認識すべきである。例えば、本明細書で述べられている任意の数の態様を使用して装置は実装されうるか、または方法が実施されうる。加えて本開示の範囲は、本明細書で述べられている本開示の様々な態様以外の、または様々な態様に加えて、他の構造、機能、または構造および機能を使用して実施されるそのよう装置もしくは方法をカバーするように意図されている。本明細書で開示されている開示のいずれの態様も請求項のうちの１つまたは複数の要素によって具現化されうることは理解されるべきである。
【００１８】
[0026]  特定の態様が本明細書で説明されているけれども、これらの態様の多くの変形および置換が、本開示の範囲内に含まれる。好ましい態様のいくつかの利益および利点が述べられているけれども、本開示の範囲は、特定の利益、使用、または目的に限定されるようには意図されていない。むしろ本開示の態様は、異なるワイヤレス技術、システム構成、ネットワーク、および送信プロトコルに広く適用可能であるように意図されており、それらのうちのいくつかは、図において、および好ましい態様の以下の説明において例として例示されている。詳細な説明および図面は、限定よりもむしろ本開示を単に例示するものであり、本開示の範囲は、添付の請求項およびそれらの同等物によって定義されている。
【００１９】
実例的なワイヤレス通信システム
[0027]  本明細書で説明されている技法は、直交多重化方式に基づく通信システムを含む、様々なブロードバンドワイヤレス通信システムのために使用されうる。そのような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、十分に異なる方向を利用することができる。ＴＤＭＡシステムは、送信信号を異なる時間スロットに分割することによって同じ周波数チャネルを複数のユーザ端末が共有することを可能にし得、各時間スロットは異なるユーザ端末に割り当てられる。ＯＦＤＭＡシステムは、全システム帯域幅を複数の直交サブキャリアに区分化する変調技法である直交周波数分割多重化（ＯＦＤＭ）を利用する。これらのサブキャリアはまた、トーン、ビン等とも呼ばれうる。ＯＦＤＭでは、各サブキャリアは独立してデータで変調されうる。ＳＣ−ＦＤＭＡシステムは、システム帯域幅にわたって分散されているサブキャリア上で送信するためにインターリーブ（interleaved）されたＦＤＭＡ（ＩＦＤＭＡ）を、隣接したサブキャリアの１つのブロック上で送信するために局所化された（localized）ＦＤＭＡ（ＬＦＤＭＡ）、または、隣接したサブキャリアの複数のブロック上で送信するために強化された（enhanced）ＦＤＭＡ（ＥＦＤＭＡ）を利用することができる。一般に、変調シンボルは、ＯＦＤＭでは周波数ドメインで、および、ＳＣ−ＦＤＭＡでは時間ドメインで送られる。
【００２０】
[0028]  本明細書における教示は、様々な有線またはワイヤレス装置（例えば、ノード）に組み込まれうる（例えば、様々な有線またはワイヤレス装置内で実装される、または様々な有線またはワイヤレス装置によって実行される）。いくつかの態様では、本明細書における教示にしたがって実装されるワイヤレスノードは、アクセスポイントまたはアクセス端末を備えることができる。
【００２１】
[0029]  アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備えることができる、これらとして実装されうる、または、これらとして知られうる。アクセス端末（「ＡＴ」）は、加入者局、加入者ユニット、移動局（ＭＳ）、遠隔局、遠隔端末、ユーザ端末（ＵＴ）、ユーザエージェント、ユーザデバイス、ユーザ機器（ＵＥ）、ユーザ局、または何らかの他の専門用語を備えることができる、これらとして実装されうる、または、これらとして知られうる。いくつかの実装では、アクセス端末は、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、またはワイヤレスモデムに接続された何らかの他の適した処理デバイスを備えることができる。したがって、本明細書で教示されている１つまたは複数の態様は、電話（例えば、セルラ電話またはスマートフォン）、コンピュータ（例えば、ラップトップ）、タブレット、ポータブル通信デバイス、ポータブルコンピューティングデバイス（例えば、パーソナルデータアシスタント）、エンターテイメントデバイス（例えば、音楽またはビデオデバイス、または衛星ラジオ）、全地球測位システム（ＧＰＳ）デバイス、または、ワイヤレスまたは有線媒体を介して通信するように構成されている任意の他の適したデバイスに組み込まれうる。いくつかの態様では、ノードはワイヤレスノードである。そのようなワイヤレスノードは、例えば、有線またはワイヤレス通信リンクを介した、ネットワーク（例えば、インターネットまたはセルラネットワークのような広域ネットワーク）のための接続、またはネットワークへの接続を提供することができる。
【００２２】
[0030]  図１は、アクセスポイントおよびユーザ端末を有する多元接続多入力多出力（ＭＩＭＯ）システム１００を例示している。簡潔さのために、図１には１つのアクセスポイント１１０のみが図示されている。アクセスポイントは概して、ユーザ端末と通信する固定局であり、基地局または何らかの他の専門用語とも称されうる。ユーザ端末は、固定または可動であることができ、移動局、ワイヤレスデバイス、または何らかの他の専門用語とも称されうる。アクセスポイント１１０は、ダウンリンクおよびアップリンク上で、任意の所与の瞬間に１つまたは複数のユーザ端末１２０と通信することができる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信することもできる。システムコントローラ１３０は、アクセスポイントに結合し、アクセスポイントのための調整および制御を提供する。
【００２３】
[0031]  下記の開示の部分が、空間分割多元接続（ＳＤＭＡ）を介して通信する能力を有するユーザ端末１２０を説明しているけれども、ある特定の態様では、ユーザ端末１２０はまた、ＳＤＭＡをサポートしないいくつかのユーザ端末を含むこともできる。したがって、そのような態様では、ＡＰ１１０は、ＳＤＭＡユーザ端末と非ＳＤＭＡユーザ端末の両方と通信するように構成されうる。この手法は有利に、より古いバージョンのユーザ端末（「レガシ」局）がそれらの有効寿命を伸ばして企業で引き続き採用されたままでいることを可能にする一方で、適切であると判断された場合より新しいＳＤＭＡユーザ端末が導入されることを可能にする。
【００２４】
[0032]  システム１００は、ダウンリンクおよびアップリンク上でのデータ送信のために、複数の送信アンテナおよび複数の受信アンテナを用いる。アクセスポイント１１０は、Ｎａｐ本のアンテナを装備され、ダウンリンク送信のためには多入力（ＭＩ）を、およびアップリンク送信のためには多出力（ＭＯ）を表す。Ｋ個の選択されたユーザ端末１２０のセットは集合的に、ダウンリンク送信のためには多出力、およびアップリンク送信のためには多入力を表す。純粋なＳＤＭＡでは、Ｋ個のユーザ端末に対するデータシンボルストリームが、何らかの手段により、コード、周波数、または、時間で多重化されていない場合に、Ｎａｐ≧Ｋ≧１を有することが望まれる。ＴＤＭＡ技法、ＣＤＭＡを用いた異なるコードチャネル、ＯＦＤＭを用いた互いに素なサブバンドのセット等を使用して、データシンボルストリームが多重化されうる場合に、Ｋは、Ｎａｐよりも大きいことがある。各選択されたユーザ端末は、アクセスポイントにユーザ固有のデータを送信し、および／またはアクセスポイントからユーザ固有のデータを受信する。一般には、各選択されたユーザ端末は、１つまたは複数（すなわち、Ｎｕｔ≧１）のアンテナで装備されうる。Ｋ個の選択されたユーザ端末は、同一のまたは異なる数のアンテナを有することができる。
【００２５】
[0033]  ＳＤＭＡシステムは、時分割複信（ＴＤＤ）システムまたは周波数分割複信（ＦＤＤ）システムであることができる。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために、単一のキャリアまたは複数のキャリアも利用することができる。各ユーザ端末は、（例えば、コストを低く抑えるために）単一のアンテナを、または（例えば、追加のコストがサポートされうる場合には）複数のアンテナを装備されうる。ユーザ端末１２０が異なるタイムスロットに送信／受信を分割することによって同じ周波数チャネルを共有する場合、システム１００は、ＴＤＭＡシステムであることもでき、各タイムスロットは異なるユーザ端末１２０に割り当てられる。
【００２６】
[0034]  図２は、ＭＩＭＯシステム１００における、アクセスポイント１１０、ならびに２つのユーザ端末１２０ｍおよび１２０ｘのブロック図を例示している。アクセスポイント１１０は、Ｎｔ本のアンテナ２２４ａ〜２２４ｔを装備されている。ユーザ端末１２０ｍは、Ｎｕｔ，ｍ本のアンテナ２５２ｍａ〜２５２ｍｕを装備されており、ユーザ端末１２０ｘは、Ｎｕｔ，ｘ本のアンテナ２５２ｘａ〜２５２ｘｕを装備されている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、ワイヤレスチャネルを介してデータを送信する能力を有する、独立して動作する装置またはデバイスであり、「受信エンティティ」は、ワイヤレスチャネルを介してデータを受信する能力を有する、独立して動作する装置またはデバイスである。以下の説明では、下付きの文字「ｄｎ」はダウンリンクを表示し、下付きの文字「ｕｐ」はアップリンクを表示し、Ｎｕｐ個のユーザ端末が、アップリンク上での同時送信のために選択され、Ｎｄｎ個のユーザ端末が、ダウンリンク上での同時送信のために選択され、Ｎｕｐは、Ｎｄｎと等しいこともできるし、または等しくないこともあり、ＮｕｐおよびＮｄｎは、各スケジューリング間隔の間、静的な値であることもできるし、または変化することもできる。ビームステアリングまたは何らかの他の空間処理技法が、アクセスポイントおよびユーザ端末において使用されうる。
【００２７】
[0035]  アップリンク上では、アップリンク送信のために選択された各ユーザ端末１２０において、送信（ＴＸ）データプロセッサ２８８が、データソース２８６からトラフィックデータを、コントローラ２８０から制御データを受信する。ＴＸデータプロセッサ２８８は、そのユーザ端末のために選択されたレートに関連付けられたコーディングおよび変調方式に基づいて、そのユーザ端末に関するトラフィックデータを処理（例えば、符号化、インターリーブ、および変調）し、データシンボルストリームを提供する。ＴＸ空間プロセッサ２９０は、そのデータシンボルストリームに対して空間処理を実行し、Ｎｕｔ，ｍ本のアンテナにＮｕｔ，ｍ個の送信シンボルストリームを提供する。各送信機ユニット（ＴＭＴＲ）２５４は、アップリンク信号を生成するために、それぞれの送信シンボルストリームを受信および処理（例えば、アナログにコンバート、増幅、フィルタリング、および周波数のアップコンバート）する。Ｎｕｔ，ｍ個の送信機ユニット２５４は、Ｎｕｔ，ｍ本のアンテナ２５２からアクセスポイントへの送信のために、Ｎｕｔ，ｍ個のアップリンク信号を提供する。
【００２８】
[0036]  Ｎｕｐ個のユーザ端末が、アップリンク上での同時送信のためにスケジューリングされることができる。これらのユーザ端末の各々は、そのデータシンボルストリームに対して空間処理を実行し、その送信シンボルストリームのセットを、アクセスポイントにアップリンク上で送信する。
【００２９】
[0037]  アクセスポイント１１０では、Ｎａｐ本のアンテナ２２４ａ〜２２４ａｐが、アップリンク上で送信するＮｕｐ個のユーザ端末すべてからのアップリンク信号を受信する。各アンテナ２２４は、それぞれの受信機ユニット（ＲＣＶＲ）２２２に対して、受信信号を提供する。各受信機ユニット２２２は、送信機ユニット２５４によって行われる処理と相補的な処理を実行し、受信されたシンボルストリームを提供する。ＲＸ空間プロセッサ２４０は、Ｎａｐ個の受信機ユニット２２２からのＮａｐ個の受信されたシンボルストリームに対して受信機空間処理を実行し、Ｎｕｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何らかの他の技法にしたがって実行される。各復元されたアップリンクデータシンボルストリームは、それぞれのユーザ端末によって送信されたデータシンボルストリームの推定である。ＲＸデータプロセッサ２４２は、復号されたデータを取得するために、各復元されたアップリンクデータシンボルストリームをそのストリームのために使用されるレートにしたがって処理（例えば、復調、デインターリーブ、および復号）する。各ユーザ端末に関する復号されたデータは、記憶のためにデータシンク２４４に、および／またはさらなる処理のためにコントローラ２３０に提供されうる。
【００３０】
[0038]  ダウンリンク上では、アクセスポイント１１０において、ＴＸデータプロセッサ２１０は、ダウンリンク送信のためにスケジューリングされたＮｄｎ個のユーザ端末に関してデータソース２０８からトラヒックデータを、コントローラ２３０から制御データを、場合によってはスケジューラ２３４から他のデータを受信する。様々なタイプのデータが、異なるトランスポートチャネル上で送られうる。ＴＸデータプロセッサ２１０は、各ユーザ端末に関するトラフィックデータを、そのユーザ端末のために選択されたレートに基づいて、処理（例えば、符号化、インターリーブ、および変調）する。ＴＸデータプロセッサ２１０は、Ｎｄｎ個のユーザ端末に関するＮｄｎ個のダウンリンクデータシンボルストリームを提供する。ＴＸ空間プロセッサ２２０は、Ｎｄｎ個のダウンリンクデータシンボルストリームに対して空間処理（例えば、本開示で説明されているプリコーディングまたはビームフォーミング）を実行し、Ｎａｐ本のアンテナにＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ本のアンテナ２２４からユーザ端末への送信のために、Ｎａｐ個のダウンリンク信号を提供する。
【００３１】
[0039]  各ユーザ端末１２０において、Ｎｕｔ，ｍ本のアンテナ２５２が、アクセスポイント１１０から、Ｎａｐ個のダウンリンク信号を受信する。各受信機ユニット２５４は、関連付けられたアンテナ２５２からの受信信号を処理し、受信されたシンボルストリームを提供する。ＲＸ空間プロセッサ２６０が、Ｎｕｔ，ｍ個の受信機ユニット２５４からのＮｕｔ，ｍ個の受信されたシンボルストリームに対して受信機空間処理を実行し、そのユーザ端末のための復元されたダウンリンクデータシンボルストリームを提供する。受信機空間処理は、ＣＣＭＩ、ＭＭＳＥ、または何らかの他の技法にしたがって実行される。ＲＸデータプロセッサ２７０は、ユーザ端末に関する復号されたデータを取得するために、復元されたダウンリンクデータシンボルストリームを処理（例えば、復調、デインターリーブ、および復号）する。
【００３２】
[0040]  各ユーザ端末１２０において、チャネル推定器２７８が、ダウンリンクチャネル応答を推定し、ダウンリンクチャネル推定値を提供し、ダウンリンクチャネル推定値は、チャネル利得推定値、ＳＮＲ推定値、雑音分散、等を含むことができる。同様に、チャネル推定器２２８が、アップリンクチャネル応答を推定し、アップリンクチャネル推定値を提供する。各ユーザ端末のためのコントローラ２８０は通常、ユーザ端末のための空間フィルタマトリクスを、そのユーザ端末に関するダウンリンクチャネル応答マトリクスＨｄｎ，ｍに基づいて導出する。コントローラ２３０は、アクセスポイントに関する空間フィルタマトリクスを、実効アップリンクチャネル応答マトリクスＨｕｐ，ｅｆｆに基づいて導出する。各ユーザ端末のためのコントローラ２８０は、アクセスポイントにフィードバック情報（例えば、ダウンリンクおよび／またはアップリンク固有ベクトル、固有値、ＳＮＲ推定値、等）を送ることができる。コントローラ２３０および２８０はまた、それぞれ、アクセスポイント１１０およびユーザ端末１２０における、様々な処理ユニットの動作を制御する。
【００３３】
[0041]  図３は、ＭＩＭＯシステム１００内で用いられうるワイヤレスデバイス３０２において利用されうる様々なコンポーネントを例示している。ワイヤレスデバイス３０２は、本明細書で説明されている様々な方法を実行するように構成されうるデバイスの例である。ワイヤレスデバイス３０２は、アクセスポイント１１０またはユーザ端末１２０でありうる。
【００３４】
[0042]  ワイヤレスデバイス３０２は、ワイヤレスデバイス３０２の動作を制御するプロセッサ３０４を含むことができる。プロセッサ３０４は、中央処理ユニット（ＣＰＵ）とも称されうる。読取専用メモリ（ＲＯＭ）およびランダムアクセスメモリ（ＲＡＭ）の両方を含むことができるメモリ３０６は、プロセッサ３０４に命令およびデータを提供する。メモリ３０６の一部はまた、不揮発性ランダムアクセスメモリ（ＮＶＲＡＭ）を含むこともできる。プロセッサ３０４は通常、メモリ３０６内に記憶されたプログラム命令に基づいて、論理および演算動作を実行する。メモリ３０６における命令は、本明細書で説明されている方法を実行するために実行可能でありうる。
【００３５】
[0043]  ワイヤレスデバイス３０２はまた、ワイヤレスデバイス３０２と遠隔ロケーションとの間でのデータの送信および受信を可能にする、送信機３１０および受信機３１２を含むことができるハウジング３０８を含むことができる。送信機３１０および受信機３１２は、組み合わせてトランシーバ３１４にすることができる。単数のまたは複数の送信アンテナ３１６は、ハウジング３０８に取り付けられ得、トランシーバ３１４に電気的に結合されうる。ワイヤレスデバイス３０２はまた、複数の送信機、複数の受信機、および複数のトランシーバ（図示せず）を含むことができる。
【００３６】
[0044]  ワイヤレスデバイス３０２はまた、トランシーバ３１４によって受信された信号のレベルを検出および定量化するために使用されうる信号検出器３１８を含むこともできる。信号検出器３１８は、総エネルギー、シンボルあたりのサブキャリア毎のエネルギー、電力スペクトル密度、および他の信号のような信号を検出することができる。ワイヤレスデバイス３０２はまた、信号を処理する際に使用する、デジタルシグナルプロセッサ（ＤＳＰ）３２０も含むことができる。
【００３７】
[0045]  ワイヤレスデバイス３０２の様々なコンポーネントは、データバスに加えて、電力バス、制御信号バス、およびステータス信号バスを含むことができる、バスシステム３２２によって互いに結合されうる。
【００３８】
ターゲットウェイクアップ時間（ＴＷＴ）グループ化
[0046]  いくつかのシステムは、電力消費を低減するために、ある特定の局（ＳＴＡ： station）がある特定の無線機能の電源を切る（power down）ことを可能にするようにターゲットウェイクアップ時間（ＴＷＴ：target wakeup time）を利用することができる。そのようなケースでは、ＳＴＡは、概してＳＴＡがチャネルにアクセスするために無線機能の電源を入れる（power on）期間を指すＴＷＴのために、ＡＰ（または他のタイプのＳＴＡ）に要求を送ることができる。
【００３９】
[0047]  ＴＷＴ要求に応答して、ＡＰは、ＴＷＴ応答フレームにおけるＴＷＴフィールドを介して、ＳＴＡがチャネルにアクセスし始めることを可能とされる時間を示すことができる。ＳＴＡは、ＴＷＴによって示される時間まである特定の無線機能を無効にされたままにすることができる。ＳＴＡはその後、チャネルにアクセスするために、そのＴＷＴにおいてウェイクアップする（および無線機能を有効にする）ことができる。ＴＷＴの使用は、ＳＴＡがデータを頻繁に送信または受信する、および／または少量のデータのみを通常送信するケースにおいて特に役立ちうる。いくつかのケースでは、ＴＷＴは、タイミング同期機能（ＴＳＦ：timing synchronization function）値の点で指定されうる。
【００４０】
[0048]  いくつかのケースでは、ＴＷＴを利用するＳＴＡ（ＴＷＴ  ＳＴＡ）は、（ＴＷＴグループ割り当てフィールドを介して割り当てられた）共通のグループＩＤでグループ化されうる。グループＩＤは、隣接ＴＷＴ値を用いたＳＴＡのセットの識別を表す。グループのゼロオフセット（Zero Offset of Group）サブフィールドが、ＴＷＴグループ内のＴＷＴ値の範囲内の最初のＴＷＴ値を示すのに対して、ＴＷＴグループにおける各ＳＴＡは、そのゼロオフセット（Zero Offset）からのオフセットを示すＴＷＴ値を割り当てられる。したがって、割り当てられたＴＷＴ値に基づいて、ＳＴＡは、そのＴＷＴとゼロ位相オフセット（Zero Phase Offset）値との間の差異を計算する。
【００４１】
実例的なターゲットウェイクアップ時間（ＴＷＴ）グループ化変更
[0049]  そのようなケースでは、ＡＰは、例えば、グループ内のすべてのＳＴＡに関してＴＷＴを調整するために、ＴＷＴ  ＳＴＡのグループを変更することを決めることができる。本開示の態様は、グループ変更の目的で、ＡＰが各ＳＴＡに単一のメッセージを送ることによって、ＴＷＴ  ＳＴＡのグループを有効に変更するように構成されうる実例的なプロトコルを提供する。
【００４２】
[0050]  概して、ＡＰおよびＳＴＡは、類似した（例えば、対称の）動作を実行することができる。したがって、本明細書で説明されている技法の多くでは、ＡＰまたはＳＴＡは、類似した動作を実行することができる。その目的で、以下の説明は時により、動作がどちらによっても実行されうることを反映するために、「ＡＰ／ＳＴＡ」を指すことができる。しかし、「ＡＰ」または「ＳＴＡ」のみが使用される場合でさえ、それが対応する動作またはメカニズムがそのタイプのデバイスに限定されることを意味しないことは理解されるべきである。
【００４３】
[0051]  図４は、本開示のある特定の態様にしたがった、グループＴＷＴ変更のための実例的な動作４００のブロック図である。動作４００は、アクセスポイントのような装置によって行われうる。
【００４４】
[0052]  ４０２では、装置は、グループ内の１つまたは複数のワイヤレスデバイスに関して、基準時間に対するオフセット値を決定し、そのオフセット値は、ターゲットウェイクアップ時間を調整するために使用される。４０４では、装置は、グループ内の１つまたは複数のワイヤレスデバイスにオフセット値をシグナリングする。
【００４５】
[0053]  図５は、本開示の態様にしたがった、グループＴＷＴ変更のための実例的な動作５００のブロック図である。動作５００は、ＴＷＴ要求側（requester）（例えば、ＳＴＡ）のような装置によって実行されうる。
【００４６】
[0054]  ５０２では、装置は、グループ内の１つまたは複数のワイヤレスデバイスに関してターゲットウェイクアップ時間を調整するために、基準時間に対するオフセット値を受信する。５０４では、装置は、無線機能を有効にするよう、装置に関してターゲットウェイクアップ時間を調整するためにオフセット値を適用する。
【００４７】
[0055]  ある特定の態様にしたがって、情報要素（ＩＥ：information element）は、グループ内のデバイスに関するＴＷＴに対する調整を示すために使用されうる。このＩＥは、「ｚｅｒｏ＿ｏｆｆｓｅｔ＿ＴＷＴ＿Ｇｒｏｕｐ＿ｃｈａｎｇｅ」ＩＥ、または単に「ＴＷＴ＿Ｇｒｏｕｐ＿ｃｈａｎｇｅ」ＩＥと称されうる。
【００４８】
[0056]  図６で例示されているように、ＴＷＴ＿Ｇｒｏｕｐ＿ｃｈａｎｇｅＩＥ６００は、変化によって影響を受ける対応するグループを識別するために、ＴＷＴグループ割り当てフィールド６０４および（ＩＥのタイプを示す）要素ＩＤ６０２を含むことができる。ある特定の態様にしたがうと、変化は、示されたグループの既存の時間からのゼロオフセットＴＷＴからの変化を表す時間同期機能（「デルタＴＳＦ」）フィールド６０６における変化によって示されうる。このオフセット値は、例えば、６バイトによって示されるＴＳＦ値でありうる。
【００４９】
[0057]  図７で例示されているように、ＴＷＴグループ変化の概念は、ＴＷＴ要求側７０２（例えば、ＳＴＡ）と要求の受信側、すなわちＴＷＴ応答側７０４（例えば、ＡＰ）との間でのメッセージのやり取りによって示されうる。ＴＷＴ要求側は、（例えば、ＴＷＴグループ割り当てフィールドを介して）要求側ＳＴＡのＴＷＴおよびグループＩＤを示すＴＷＴフィールドで、ＴＷＴを要求し、ＴＷＴ応答を受信することができる。
【００５０】
[0058]  いくつかのケースでは、応答における（例えば、応答におけるＩＥのフィールドまたはサブフィールドにおける）１つまたは複数のビットは、応答においてグループＩＤの存在を示すことができる。受信するデバイスは、応答において、グループＩＤの存在を検出するためにこれらのビットを使用することができる。例えば、１つまたは複数のビットは、どのグループＩＤもその応答にないことを示すためにゼロに設定されうる。さらに、１つまたは複数のビットは、グループＩＤの存在を示すための値に設定され得、いくつかのケースでは、そのビットはグループＩＤの値を実際にあてがわれうる。
【００５１】
[0059]  いくつかのケースでは、ＴＷＴ要求側は、グループＴＷＴを受け入れることができ、グループＴＷＴは、いくつかのケースにおいて、新たに送られたＴＷＴ要求におけるビット（このビットは、ＴＷＴ要求側がグループ機能をサポートする能力を有する）を介して示されうる。例示されているように、ＴＷＴ要求側は最初に（例えば、ｔ＝ｔ０の時間に）、グループＴＷＴ応答で示された値にそのＴＷＴ値を設定することができる。
【００５２】
[0060]  後続の時間に（例えば、ｔ＝ｔ１の時間に）、ＴＷＴ要求側が同じＴＷＴグループＩＤを用いてＴＷＴ＿Ｇｒｏｕｐ＿ｃｈａｎｇｅＩＥを受信する場合、それはそのＴＷＴを更新することができる。例えば、図７で例示されているように、要求側７０２が、その既存のＴＷＴに、ＩＥにおいて示されたｄｅｌｔａ＿ＴＳＦ値を、それが前へ動くことが続くだろうその新しいＴＷＴ時間を得るために、加えることによる（例えば、別のＴＷＴ＿Ｇｒｏｕｐ＿ｃｈａｎｇｅ＿ＩＥを受信するまで）。
【００５３】
[0061]  （例えば、ＴＷＴ＿Ｇｒｏｕｐ＿Ｃｈａｎｇｅ＿ＩＥにおける）オフセット値は、グループ内のワイヤレスデバイスにブロードキャストされうるか、またはユニキャストシグナリングを介してグループ内の少なくとも１つのワイヤレスデバイスに送信されうる。さらに、ＴＷＴ＿Ｇｒｏｕｐ＿ｃｈａｎｇｅ＿ＩＥは、ビーコンにおいて、アクションフレームにおいて、またはあらゆる他のタイプのシグナリングメカニズムを介して送信されうる。いくつかのケースでは、オフセット値は、管理フレームを介して、または明示的なターゲットウェイクアップ時間（ＴＷＴ）応答フレーム（例えば、ＳＴＡＣＫ、ＴＡＣＫ、またはＢＡＴ）において送信されうる。
【００５４】
[0062]  上で説明された方法の様々な動作は、対応する機能を実行する能力を有するあらゆる適した手段によって実行されうる。手段は、限定されないが、回路、特定用途向け集積回路（ＡＳＩＣ）、または、プロセッサを含む、様々なハードウェアのおよび／または（１つまたは複数の）ソフトウェアのコンポーネントおよび／または（１つまたは複数の）モジュールを含むことができる。一般に、図中で例示されている動作が存在する場合、それらの動作は、同様の参照番号を付した、対応する同等の（counterpart）ミーンズプラスファンクションコンポーネントを有することができる。例えば、図４および５で例示されている動作４００および５００は、図４Ａおよび５Ａにそれぞれ例示されている手段４００Ａおよび５００Ａに対応する。
【００５５】
[0063]  例えば、送信またはシグナリングするための手段は、図２で例示されているアクセスポイント１１０の送信機（例えば、送信機ユニット２２２）および／または（１つまたは複数の）アンテナ２２４、または図３で描かれている送信機３１０および／または（１つまたは複数の）アンテナ３１６を備えることができる。受信するための手段は、図２で例示されているアクセスポイント１１０の受信機（例えば、受信機ユニット２２２）および／または（１つまたは複数の）アンテナ２２４、または図３で描かれている受信機３１２および／または（１つまたは複数の）アンテナ３１６を備えることができる。処理するための手段、決定するための手段、および／または適用するための手段は、処理システムを備えることができ、この処理システムは、図２で例示されているアクセスポイント１１０のＲＸデータプロセッサ２４２、ＴＸデータプロセッサ２１０、および／またはコントローラ２３０、または図３で描写されているプロセッサ３０４および／またはＤＳＰ３２０のような、１つまたは複数のプロセッサを含むことができる。
【００５６】
[0064]  本明細書で使用される場合、「決定する」という用語は、幅広い種類のアクションを含む。例えば、「決定する」は、算出する、計算する、処理する、導出する、調査する、検索する（例えば、テーブル、データベース、または別のデータ構造を検索する）、確定する、等を含むことができる。また、「決定する」は、受信する（例えば、情報を受信する）、アクセスする（例えば、メモリ内のデータにアクセスする）、等を含むことができる。また、「決定する」は、解決する、選択する、選ぶ、確立する、等を含むことができる。
【００５７】
[0065]  本明細書で使用される場合、受信機という用語は、（例えば、バスを介して）ＲＦフロントエンドによって処理される構造を受信するための（例えば、プロセッサの）インターフェースまたは（例えば、ＲＦフロントエンドの）ＲＦ受信機を指しうる。同様に、送信機という用語は、（例えば、バスを介して）ＲＦフロントエンドに構造を出力するための（例えば、プロセッサの）インターフェースまたはＲＦフロントエンドのＲＦ送信機を指しうる。
【００５８】
[0066]  本明細書で使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図されている。
【００５９】
[0067]  本開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理回路、ディスクリートハードウェアコンポーネント、あるいは、本明細書で説明されている機能を実行するように設計された、それらのあらゆる組み合わせを用いて実装または実行されうる。汎用プロセッサは、マイクロプロセッサであることができるけれども、その代わりに、プロセッサは、任意の商業的に利用可能なプロセッサ、コントローラ、マイクロコントローラ、またはステートマシンであることができる。プロセッサは、コンピューティングデバイスの組み合わせ、例えば、ＤＳＰとマイクロプロセッサの組み合わせ、複数のマイクロプロセッサ、ＤＳＰコアと連結した１つまたは複数のマイクロプロセッサ、または任意の他のそのような構成、としても実装されうる。
【００６０】
[0068]  本開示に関連して説明されている方法またはアルゴリズムのステップは、ハードウェアで直接、プロセッサによって実行されるソフトウェアモジュールで、またはその２つの組み合わせで、具現化されうる。ソフトウェアモジュールは、当技術分野で知られているあらゆる形態の記憶媒体に存在することができる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）、メモリ、レジスタ、ハードディスク、リムーバブルディスク、ＣＤ−ＲＯＭ、等を含む。ソフトウェアモジュールは、単一の命令または多数の命令を備えることができ、いくつかの異なるコードセグメントにわたって、異なるプログラム間で、および複数の記憶媒体にわたって、分散されることができる。記憶媒体は、プロセッサが記憶媒体から情報を読み取ること、および記憶媒体に情報を書き込むことができるように、プロセッサに結合されうる。代わりとして、記憶媒体は、プロセッサと一体化されうる。
【００６１】
[0069]  本明細書で開示されている方法は、説明されている方法を達成するための１つまたは複数のステップまたはアクションを備える。方法のステップおよび／またはアクションは、請求項の範囲から逸脱することなく、互いに置き換えられうる。言い換えると、ステップまたはアクションの特定の順序が指定されない限り、特定のステップおよび／またはアクションの順序および／または使用は、請求項の範囲から逸脱することなく変更されることができる。
【００６２】
[0070]  説明されている機能は、ハードウェア、ソフトウェア、ファームウェア、またはそれらのあらゆる組み合わせにおいて実行されうる。ハードウェアにおいて実装される場合、実例的なハードウェア構成は、ワイヤレスノードにおける処理システムを備えることができる。処理システムは、バスアーキテクチャを用いて実装されうる。バスは、処理システムの特定のアプリケーションおよび全体の設計制約に依存して、任意の数の相互接続するバスおよびブリッジを含むことができる。バスは、プロセッサ、機械可読媒体、および、バスインターフェースを含む様々な回路を互いにリンクさせることができる。バスインターフェースは、とりわけ、ネットワークアダプタを、バスを介して処理システムに接続するために使用されうる。ネットワークアダプタは、ＰＨＹレイヤの信号処理機能を実行するために使用されうる。ユーザ端末１２０（図１を参照）のケースでは、ユーザインターフェース（例えば、キーパッド、ディスプレイ、マウス、ジョイスティック、等）もまた、バスに接続されうる。バスはまた、タイミングソース、周辺機器、電圧レギュレータ、電力管理回路、等のような様々な他の回路をリンクさせることができるが、それらは、当技術分野において周知であるので、これ以上説明されない。
【００６３】
[0071]  プロセッサは、機械可読媒体上に記憶されたソフトウェアの実行を含む、一般的な処理、およびバスを管理することを担いうる。プロセッサは、１つまたは複数の汎用および／または専用プロセッサを用いて実装されうる。例は、マイクロプロセッサ、マイクロコントローラ、ＤＳＰプロセッサ、およびソフトウェアを実行することができる他の回路を含む。ソフトウェアは、ソフトウェア、ファームウェア、ミドルウェア、マイクロコード、ハードウェア記述言語、または違った形で称されようと、命令、データ、またはそれらのあらゆる組み合わせを意味するように広く解釈されるものとする。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク（disk）、光学ディスク、ハードドライブ、またはあらゆる他の適した記憶媒体、あるいはそれらのあらゆる組み合わせを含むことができる。機械可読媒体は、コンピュータプログラム製品において具現化されうる。コンピュータプログラム製品は、パッケージ材料を備えることができる。
【００６４】
[0072]  ハードウェア実装では、機械可読媒体は、プロセッサとは別個の処理システムの一部でありうる。しかしながら、当業者が容易に認識することになるように、機械可読媒体またはそのいずれかの部分は、処理システムの外部にありうる。例として、機械可読媒体は、伝送回線、データによって変調された搬送波、および／またはワイヤレスノードとは別個のコンピュータ製品を含むことができ、そのすべてはバスインターフェースを通じてプロセッサによってアクセスされうる。代わりとして、または加えて、機械可読媒体、またはそのいずれかの部分は、例えばキャッシュ、および／または一般的なレジスタファイルを伴う場合、プロセッサに一体化されうる。
【００６５】
[0073]  処理システムは、プロセッサ機能を提供する１つまたは複数のマイクロプロセッサ、および機械可読媒体の少なくとも一部を提供する外部メモリを有し、すべてが外部バスアーキテクチャを通して他のサポート回路と共にリンクされている、汎用処理システムとして構成されうる。代わりとして、処理システムは、プロセッサ、バスインターフェース、アクセス端末のケースではユーザインターフェース、サポート回路、および単一のチップに一体化された機械可読媒体の少なくとも一部を有するＡＳＩＣ（特定用途向け集積回路）で実装されうる、あるいは、１つまたは複数のＦＰＧＡ（フィールドプログラマブルゲートアレイ）、ＰＬＤ（プログラマブル論理デバイス）、コントローラ、ステートマシン、ゲート論理回路、ディスクリートハードウェアコンポーネント、もしくは何らかの他の適した回路、または本開示全体を通して説明されている様々な機能を実行することができる回路のあらゆる組み合わせで実装されうる。当業者は、システム全体に課された全設計制限および特定のアプリケーションに依存して処理システムに関する説明されている機能をどのように実行することが最善であるかを明確に認識することになる。
【００６６】
[0074]  機械可読媒体は、いくつかのソフトウェアモジュールを備えることができる。ソフトウェアモジュールは、プロセッサによって実行されるときに、様々な機能を処理システムに実行させる命令を含む。ソフトウェアモジュールは、送信モジュールおよび受信モジュールを含むことができる。各ソフトウェアモジュールは、単一の記憶デバイスに存在しうるか、または複数の記憶デバイスにわたって分散されうる。例として、ソフトウェアモジュールは、トリガイベントが生じたときに、ハードドライブからＲＡＭにロードされうる。ソフトウェアモジュールの実行中、プロセッサは、アクセススピードを増加させるために、命令のうちのいくつかをキャッシュにロードすることができる。その後、１つまたは複数のキャッシュラインが、プロセッサによる実行のために汎用レジスタファイルにロードされうる。以下のソフトウェアモジュールの機能を参照するとき、そのような機能が、そのソフトウェアモジュールからの命令を実行するときにプロセッサによって実行されることは理解されるだろう。
【００６７】
[0075]  ソフトウェアで実装される場合、機能は、コンピュータ可読媒体上で１つまたは複数の命令またはコードとして、記憶または送信されうる。コンピュータ可読媒体は、１つの場所から別の場所へのコンピュータプログラムの転送を容易にするあらゆる媒体を含む通信媒体およびコンピュータ記憶媒体の両方を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは、データ構造または命令の形態で所望のプログラムコードを記憶または搬送するために使用されうる、かつコンピュータによってアクセスされうるあらゆる他の媒体を備えることができる。また、いずれの接続手段もコンピュータ可読媒体と適切に名づけられる。例えば、ソフトウェアが、ウェブサイトから、サーバから、あるいは同軸ケーブル、光ファイバケーブル、ツイストペア、デジタル加入者線（ＤＳＬ）、または赤外線、無線、およびマイクロ波のようなワイヤレス技術を使用する他の遠隔ソースから送信された場合、同軸ケーブル、光ファイバケーブル、ツイストペア、ＤＳＬ、または赤外線、無線、およびマイクロ波のようなワイヤレス技術は、媒体の定義に含まれる。本明細書で使用される場合、ディスク（Disk）およびディスク（Disc）は、コンパクトディスク（ＣＤ：compact disc）、レーザーディスク（登録商標）（laser disc）、光学ディスク（optical disc）、デジタルバーサタイルディスク（ＤＶＤ：digital versatile disc）、フロッピー（登録商標）ディスク（floppy disk）、およびブルーレイディスク（Blu-ray（登録商標） disc）を含み、ここにおいてディスク（disc）がレーザーを用いて光学的にデータを再現するのに対し、ディスク（disk）は大抵磁気的にデータを再現する。したがって、いくつかの態様では、コンピュータ可読媒体は、非一時的なコンピュータ可読媒体（例えば、有体媒体）を備えることができる。加えて、他の態様では、コンピュータ可読媒体は、一時的なコンピュータ可読媒体（例えば、信号）を備えることができる。上記の組み合わせもまた、コンピュータ可読媒体の範囲内に含まれるべきである。
【００６８】
[0076]  したがって、ある特定の態様は、本明細書で提示された動作を行うためのコンピュータプログラム製品を備えることができる。例えば、このようなコンピュータプログラム製品は、命令を記憶（および／または符号化）されたコンピュータ可読媒体を備えることができ、命令は、本明細書で説明されている動作を実行するために１つまたは複数のプロセッサによって実行可能である。ある特定の態様では、コンピュータプログラム製品は、パッケージ材料を含むことができる。
【００６９】
[0077]  さらに、本明細書で説明されている方法および技法を実行するためのモジュールおよび／または他の適切な手段がダウンロードされうる、および／またはそうでなければ、適用可能である場合ユーザ端末および／または基地局によって取得されうることは認識されるべきである。例えば、そのようなデバイスは、本明細書で説明されている方法を実行するための手段の転送を容易にするためにサーバに結合されうる。代わりとして、本明細書で説明されている様々な方法は、記憶手段（例えば、ＲＡＭ、ＲＯＭ、コンパクトディスク（ＣＤ）またはフロッピーディスクのような物理記憶媒体、等）を介して、ユーザ端末および／または基地局が、デバイスに記憶手段を結合または提供する際に様々な方法を取得しうるように、提供されうる。さらに、本明細書で説明されている方法および技法をデバイスに提供するためのあらゆる他の適した技法が、利用されうる。
【００７０】
[0078]  請求項が、上で例示された精密な構成およびコンポーネントに限定されないことは理解されるものとする。請求項の範囲から逸脱することなく、上で説明された方法および装置の、配列、動作、および詳細において、様々な修正、変更、およびバリエーションが行われうる。
【図１】
2018170772.tif 000003
【図２】
2018170772.tif 000004
【図３】
2018170772.tif 000005
【図４】
2018170772.tif 000006
【図４Ａ】
2018170772.tif 000007
【図５】
2018170772.tif 000008
【図５Ａ】
2018170772.tif 000009
【図６】
2018170772.tif 000010
【図７】
2018170772.tif 000011
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
ワイヤレスデバイスからグループＩＤを含むターゲットウェイクアップ時間（ＴＷＴ）のための要求を受信するための手段と、
前記要求における１つまたは複数のビットに基づいて、前記ワイヤレスデバイスが、グループＴＷＴを受け入れることができるグループ機能をサポートする能力を有することを決定するための手段と、
前記要求を受信した後に、ＴＷＴ要求に応答して、前記ワイヤレスデバイスにＴＷＴ値を含むグループＴＷＴ応答を送信するための手段と、
前記ワイヤレスデバイスと共通のグループＩＤを有するグループ内の１つまたは複数のワイヤレスデバイスに関して、基準時間に対するオフセット値を決定するための手段と、前記オフセット値は、前記ターゲットウェイクアップ時間を変更するために使用される、
前記共通のグループＩＤを有する前記グループ内の前記１つまたは複数のワイヤレスデバイスに前記オフセット値をシグナリングするための手段と、ここにおいて、前記シグナリングするための手段は、前記変更によって影響を受けるグループＩＤを含む情報要素において前記オフセット値をシグナリングするように構成される、
を備える、装置。
【請求項２】
ワイヤレス通信のための装置であって、
グループＩＤを含むターゲットウェイクアップ時間（ＴＷＴ）のための要求を送信するための手段と、
前記要求は、前記装置が、グループＴＷＴを受け入れることができるグループ機能をサポートする能力を有することを示す１つまたは複数のビットを備える、
前記要求を送信した後に、ＴＷＴ値を含むグループＴＷＴ応答を受信し、かつ、前記ＴＷＴ値を設定するための手段と、
前記装置と共通のグループＩＤを有するグループ内の１つまたは複数のワイヤレスデバイスに関して前記ターゲットウェイクアップ時間を変更するために、基準時間に対するオフセット値を受信するための手段と、
無線機能を有効にするよう、前記装置に関して前記ターゲットウェイクアップ時間を変更するために前記オフセット値を適用するための手段と、
を備え、
前記受信するための手段は、前記変更によって影響を受ける前記共通のグループＩＤを有する前記グループ内の前記装置の識別を含む情報要素において前記オフセット値を受信するように構成される、
装置。
【請求項３】
装置によるワイヤレス通信のための方法であって、
ワイヤレスデバイスからグループＩＤを含むターゲットウェイクアップ時間（ＴＷＴ）のための要求を受信することと、
前記要求における１つまたは複数のビットに基づいて、前記ワイヤレスデバイスが、グループＴＷＴを受け入れることができるグループ機能をサポートする能力を有することを決定することと、
前記要求を受信した後に、ＴＷＴ要求に応答して、前記ワイヤレスデバイスにＴＷＴ値を含むグループＴＷＴ応答を送信することと、
前記ワイヤレスデバイスと共通のグループＩＤを有するグループ内の１つまたは複数のワイヤレスデバイスに関して、基準時間に対するオフセット値を決定することと、前記オフセット値は、前記ターゲットウェイクアップ時間を変更するために使用される、
前記共通のグループＩＤを有する前記グループ内の前記１つまたは複数のワイヤレスデバイスに前記オフセット値をシグナリングすることと、ここにおいて、前記シグナリングすることは、前記変更によって影響を受けるグループＩＤを含む情報要素において前記オフセット値をシグナリングすることを備える、
を備える、方法。
【請求項４】
前記シグナリングすることは、前記オフセット値を、前記グループ内のワイヤレスデバイスにブロードキャストすること、または、ユニキャストシグナリングを介して、前記グループ内の前記ワイヤレスデバイスに送信することを備える、請求項３に記載の方法。
【請求項５】
前記オフセット値は、ビーコン、管理フレーム、または明示的なターゲットウェイクアップ時間（ＴＷＴ）応答フレーム内、のうちの少なくとも１つを介してシグナリングされる、請求項３に記載の方法。
【請求項６】
前記情報要素は前記要求に対する応答においてシグナリングされる、請求項３に記載の方法。
【請求項７】
前記情報要素は、前記応答において前記グループＩＤの存在を示す１つまたは複数のビットを備える、請求項６に記載の方法。
【請求項８】
装置によるワイヤレス通信のための方法であって、
グループＩＤを含むターゲットウェイクアップ時間（ＴＷＴ）のための要求を送信することと、
前記要求は、前記装置が、グループＴＷＴを受け入れることができるグループ機能をサポートする能力を有することを示す１つまたは複数のビットを備える、
前記要求を送信した後に、ＴＷＴ値を含むグループＴＷＴ応答を受信し、かつ、前記ＴＷＴ値を設定することと、
前記装置と共通のグループＩＤを有するグループ内の１つまたは複数のワイヤレスデバイスに関して前記ターゲットウェイクアップ時間を変更するために、基準時間に対するオフセット値を受信することと、
無線機能を有効にするよう、前記装置に関して前記ターゲットウェイクアップ時間を変更するために前記オフセット値を適用することと、
を備え、
受信することは、前記変更によって影響を受ける前記共通のグループＩＤを有する前記グループ内の前記装置の識別を含む情報要素において前記オフセット値を受信することを備える、
方法。
【請求項９】
前記オフセット値は、ブロードキャストシグナリングを介して、または、ユニキャストシグナリングを介して受信される、請求項８に記載の方法。
【請求項１０】
前記オフセット値は、ビーコン、管理フレーム、または明示的なターゲットウェイクアップ時間（ＴＷＴ）応答フレーム内、のうちの少なくとも１つを介して、受信される、請求項８に記載の方法。
【請求項１１】
前記情報要素は前記要求に対する応答において受信される、請求項８に記載の方法。
【請求項１２】
前記応答における１つまたは複数のビットに基づいて、前記応答における前記グループの前記識別の存在を検出することをさらに備える、請求項１１に記載の方法。
【請求項１３】
ワイヤレス通信デバイスのプロセッサ上で実行されると、請求項３−１２のうちの何れかに記載のステップを実行するための命令を記憶したコンピュータ可読媒体。
【手続補正２】
【補正対象書類名】明細書
【補正対象項目名】００７０
【補正方法】変更
【補正の内容】
【００７０】
[0078]  請求項が、上で例示された精密な構成およびコンポーネントに限定されないことは理解されるものとする。請求項の範囲から逸脱することなく、上で説明された方法および装置の、配列、動作、および詳細において、様々な修正、変更、およびバリエーションが行われうる。
以下に本願発明の当初の特許請求の範囲に記載された発明を付記する。
［Ｃ１］
ワイヤレス通信のための装置であって、
グループ内の１つまたは複数のワイヤレスデバイスに関して、基準時間に対するオフセット値を決定するように構成された処理システムと、前記オフセット値は、ターゲットウェイクアップ時間を調整するために使用される、
前記グループ内の前記１つまたは複数のワイヤレスデバイスに前記オフセット値をシグナリングするように構成された送信機と、
を備える、装置。
［Ｃ２］
前記送信機は、ブロードキャストシグナリングを介して、前記グループ内の前記ワイヤレスデバイスの少なくともいくつかに前記オフセット値をシグナリングするように構成される、Ｃ１に記載の装置。
［Ｃ３］
前記送信機は、ユニキャストシグナリングを介して、前記グループ内の少なくとも１つのワイヤレスデバイスに前記オフセット値をシグナリングするように構成される、Ｃ１に記載の装置。
［Ｃ４］
前記送信機は、ビーコン、管理フレーム、または明示的なターゲットウェイクアップ時間（ＴＷＴ）応答フレーム内、のうちの少なくとも１つを介して、前記グループ内の前記１つまたは複数のワイヤレスデバイスに前記オフセット値をシグナリングするように構成される、Ｃ１に記載の装置。
［Ｃ５］
前記送信機は、前記グループの識別を含む情報要素において前記オフセット値をシグナリングするように構成される、Ｃ１に記載の装置。
［Ｃ６］
ターゲットウェイクアップ時間のための要求を受信するように構成された受信機をさらに備え、前記情報要素は前記要求に応答して送信される、Ｃ５に記載の装置。
［Ｃ７］
前記情報要素は、前記応答において前記グループの前記識別の存在を示す１つまたは複数のビットを備える、Ｃ６に記載の装置。
［Ｃ８］
前記処理システムは、前記要求における１つまたは複数のビットに基づいて、要求側が、グループにおける動作をサポートする能力を有することを決定するように構成される、Ｃ６に記載の装置。
［Ｃ９］
ワイヤレス通信のための装置であって、
グループ内の１つまたは複数のワイヤレスデバイスに関してターゲットウェイクアップ時間を調整するために、基準時間に対するオフセット値を受信するように構成された受信機と、
無線機能を有効にするよう、前記装置に関してターゲットウェイクアップ時間を調整するために前記オフセット値を適用するように構成された処理システムと、
を備える、装置。
［Ｃ１０］
前記オフセット値は、ブロードキャストシグナリングを介して受信される、Ｃ９に記載の装置。
［Ｃ１１］
前記オフセット値は、ユニキャストシグナリングを介して受信される、Ｃ９に記載の装置。
［Ｃ１２］
前記オフセット値は、ビーコン、管理フレーム、または明示的なターゲットウェイクアップ時間（ＴＷＴ）応答フレーム内、のうちの少なくとも１つを介して、受信される、Ｃ９に記載の装置。
［Ｃ１３］
前記受信機は、前記グループの識別を含む情報要素において前記オフセット値を受信するように構成される、Ｃ９に記載の装置。
［Ｃ１４］
要求を送信するように構成された送信機をさらに備え、前記情報要素は前記要求に応答して受信される、Ｃ１３に記載の装置。
［Ｃ１５］
前記処理システムは、前記応答における１つまたは複数のビットに基づいて、前記応答における前記グループの前記識別の存在を検出するようにさらに構成される、Ｃ１４に記載の装置。
［Ｃ１６］
前記要求は、前記装置がグループにおける動作をサポートする能力を有することを示す１つまたは複数のビットを備える、Ｃ１４に記載の装置。
［Ｃ１７］
ワイヤレス通信のための装置であって、
グループ内の１つまたは複数のワイヤレスデバイスに関して、基準時間に対するオフセット値を決定するための手段と、前記オフセット値は、ターゲットウェイクアップ時間を調整するために使用される、
前記グループ内の前記１つまたは複数のワイヤレスデバイスに前記オフセット値をシグナリングするための手段と、
を備える、装置。
［Ｃ１８］
前記オフセット値は、前記グループ内のワイヤレスデバイスにブロードキャストされる、Ｃ１７に記載の装置。
［Ｃ１９］
前記オフセット値は、ユニキャストシグナリングを介して、前記グループ内の少なくとも１つのワイヤレスデバイスに送信される、Ｃ１７に記載の装置。
［Ｃ２０］
前記オフセット値は、ビーコンまたはアクションフレームのうちの少なくとも１つを介して送信される、Ｃ１７に記載の装置。
［Ｃ２１］
前記シグナリングするための手段は、前記グループの識別を含む情報要素において前記オフセット値をシグナリングするように構成される、Ｃ１７に記載の装置。
［Ｃ２２］
ターゲットウェイクアップ時間のための要求を受信するための手段をさらに備え、前記情報要素は前記要求に応答して送信される、Ｃ２１に記載の装置。
［Ｃ２３］
前記情報要素は、前記応答において前記グループの前記識別の存在を示す１つまたは複数のビットを備える、Ｃ２２に記載の装置。
［Ｃ２４］
前記決定するための手段は、要求側が、前記要求における１つまたは複数のビットに基づいて、グループにおける動作をサポートする能力を有することを決定するように構成される、Ｃ２２に記載の装置。
［Ｃ２５］
ワイヤレス通信のための装置であって、
グループ内の１つまたは複数のワイヤレスデバイスに関してターゲットウェイクアップ時間を調整するために、基準時間に対するオフセット値を受信するための手段と、
無線機能を有効にするよう、前記装置に関してターゲットウェイクアップ時間を調整するために前記オフセット値を適用するための手段と、
を備える、装置。
［Ｃ２６］
前記オフセット値は、ブロードキャストシグナリングを介して受信される、Ｃ２５に記載の装置。
［Ｃ２７］
前記オフセット値は、ユニキャストシグナリングを介して受信される、Ｃ２５に記載の装置。
［Ｃ２８］
前記オフセット値は、ビーコン、管理フレーム、または明示的なターゲットウェイクアップ時間（ＴＷＴ）応答フレーム内、のうちの少なくとも１つを介して、受信される、Ｃ２５に記載の装置。
［Ｃ２９］
前記受信するための手段は、前記グループの識別を含む情報要素において前記オフセット値を受信するように構成される、Ｃ２５に記載の装置。
［Ｃ３０］
要求を送信するための手段をさらに備え、前記情報要素は前記要求に応答して受信される、Ｃ２９に記載の装置。
［Ｃ３１］
前記応答における１つまたは複数のビットに基づいて、前記応答における前記グループの前記識別の存在を検出するための手段をさらに備える、Ｃ３０に記載の装置。
［Ｃ３２］
前記要求は、前記装置がグループにおける動作をサポートする能力を有することを示す１つまたは複数のビットを備える、Ｃ３０に記載の装置。
［Ｃ３３］
装置によるワイヤレス通信のための方法であって、
グループ内の１つまたは複数のワイヤレスデバイスに関して、基準時間に対するオフセット値を決定することと、前記オフセット値は、ターゲットウェイクアップ時間を調整するために使用される、
前記グループ内の前記１つまたは複数のワイヤレスデバイスに前記オフセット値をシグナリングすることと、
を備える、方法。
［Ｃ３４］
前記オフセット値は、前記グループ内のワイヤレスデバイスにブロードキャストされる、Ｃ３３に記載の方法。
［Ｃ３５］
前記オフセット値は、ユニキャストシグナリングを介して、前記グループ内の少なくとも１つのワイヤレスデバイスに送信される、Ｃ３３に記載の方法。
［Ｃ３６］
前記オフセット値は、ビーコン、管理フレーム、または明示的なターゲットウェイクアップ時間（ＴＷＴ）応答フレーム内、のうちの少なくとも１つを介して送信される、Ｃ３３に記載の方法。
［Ｃ３７］
前記シグナリングすることは、前記グループの識別を含む情報要素において前記オフセット値をシグナリングすることを備える、Ｃ３３に記載の方法。
［Ｃ３８］
ターゲットウェイクアップ時間のための要求を受信することをさらに備え、前記情報要素は前記要求に応答して送信される、Ｃ３７に記載の方法。
［Ｃ３９］
前記情報要素は、前記応答において前記グループの前記識別の存在を示す１つまたは複数のビットを備える、Ｃ３８に記載の方法。
［Ｃ４０］
前記要求における１つまたは複数のビットに基づいて、要求側が、グループにおける動作をサポートする能力を有することを決定することをさらに備える、Ｃ３８に記載の方法。
［Ｃ４１］
装置によるワイヤレス通信のための方法であって、
グループ内の１つまたは複数のワイヤレスデバイスに関してターゲットウェイクアップ時間を調整するために、基準時間に対するオフセット値を受信することと、
無線機能を有効にするよう、前記装置に関してターゲットウェイクアップ時間を調整するために前記オフセット値を適用することと、
を備える、方法。
［Ｃ４２］
前記オフセット値は、ブロードキャストシグナリングを介して受信される、Ｃ４１に記載の方法。
［Ｃ４３］
前記オフセット値は、ユニキャストシグナリングを介して受信される、Ｃ４１に記載の方法。
［Ｃ４４］
前記オフセット値は、ビーコン、管理フレーム、または明示的なターゲットウェイクアップ時間（ＴＷＴ）応答フレーム内、のうちの少なくとも１つを介して、受信される、Ｃ４１に記載の方法。
［Ｃ４５］
受信することは、前記グループの識別を含む情報要素において前記オフセット値を受信することを備える、Ｃ４１に記載の方法。
［Ｃ４６］
要求を送信することをさらに備え、前記情報要素は前記要求に応答して受信される、Ｃ４５に記載の方法。
［Ｃ４７］
前記応答における１つまたは複数のビットに基づいて、前記応答における前記グループの前記識別の存在を検出することをさらに備える、Ｃ４６に記載の方法。
［Ｃ４８］
前記要求は、前記装置がグループにおける動作をサポートする能力を有することを示す１つまたは複数のビットを備える、Ｃ４６に記載の方法。
［Ｃ４９］
命令を記憶したコンピュータ可読媒体を備える、装置によるワイヤレス通信のためのプログラム製品であって、前記命令は、
グループ内の１つまたは複数のワイヤレスデバイスに関して、基準時間に対するオフセット値を決定することと、前記オフセット値は、ターゲットウェイクアップ時間を調整するために使用される、
前記グループ内の前記１つまたは複数のワイヤレスデバイスに前記オフセット値をシグナリングすることと、
のためのものである、プログラム製品。
［Ｃ５０］
命令を記憶したコンピュータ可読媒体を備える、装置によるワイヤレス通信のためのプログラム製品であって、前記命令は、
グループ内の１つまたは複数のワイヤレスデバイスに関してターゲットウェイクアップ時間を調整するために、基準時間に対するオフセット値を受信することと、
無線機能を有効にするよう、前記装置に関してターゲットウェイクアップ時間を調整するために前記オフセット値を適用することと、
のためのものである、プログラム製品。
［Ｃ５１］
アクセスポイントであって、
少なくとも１つのアンテナと、
グループ内の１つまたは複数のワイヤレスデバイスに関して、基準時間に対するオフセット値を決定するように構成された処理システムと、前記オフセット値は、ターゲットウェイクアップ時間を調整するために使用される、
前記グループ内の前記１つまたは複数のワイヤレスデバイスに前記オフセット値を、前記少なくとも１つのアンテナを介して、シグナリングするように構成された送信機と、
を備える、アクセスポイント。
［Ｃ５２］
局であって、
少なくとも１つのアンテナと、
グループ内の１つまたは複数のワイヤレスデバイスに関してターゲットウェイクアップ時間を調整するために、基準時間に対するオフセット値を、前記少なくとも１つのアンテナを介して、受信するように構成された受信機と、
無線機能を有効にするよう、装置に関してターゲットウェイクアップ時間を調整するために前記オフセット値を適用するように構成された処理システムと、
を備える、局。
【外国語明細書】
2018170772000001.pdf